(57)【特許請求の範囲】
【請求項１】
開口を蓋体で閉塞する基板収納部を有し、光源点灯に係る電気回路基板を前記基板収納部に収めた器具本体と、
電気的絶縁性、及び可撓性を有する絶縁シートから形成され、前記蓋体の閉蓋によって押圧されて前記蓋体と前記基板収納部の基板支持体設置面との間に撓んだ状態で保持される基板支持体と、を有し、
前記絶縁シートには前記電気回路基板の両側縁の縁端を延出させるスリットが設けられており、
このスリットにより前記基板支持体が前記電気回路基板の前記両側縁を支持し、両面に回路部品が配置された前記電気回路基板を前記蓋体、及び前記基板支持体設置面から離間した位置に保持する、ことを特徴とする照明器具。
【請求項２】
前記基板支持体は、前記蓋体、及び前記基板収納部の基板支持体設置面のそれぞれと接触する面を有し、前記蓋体、及び前記基板支持体設置面によって前記面が押圧される、ことを特徴とする請求項１に記載の照明器具。
【請求項３】
前記基板支持体は、
前記絶縁シートが、前記電気回路基板を包む多角柱の筒状に、かつ、両端を合わせて重ならないように折り曲げられ、側面に前記スリットを設けて成る、
ことを特徴とする請求項２に記載の照明器具。
【請求項４】
開口を蓋体で閉塞する基板収納部を有し、光源点灯に係る電気回路基板を前記基板収納部に収めた器具本体と、
電気的絶縁性、及び可撓性を有する絶縁シートから形成され、前記蓋体の閉蓋によって押圧されて前記蓋体と前記基板収納部の基板支持体設置面との間に撓んだ状態で保持される基板支持体と、を有し、
前記基板支持体は、前記電気回路基板を包む筒状に前記絶縁シートを折り曲げて成る筒体部を有し、
前記筒体部は略四角柱状に形成されており、
前記筒体部の左右両側の側面には、それぞれスリットが形成されており、それぞれのスリットに前記電気回路基板の左右両側の側縁が挿入され、前記電気回路基板が前記筒体部の中で支持され、
前記絶縁シートの筒体部の一方の側面を構成する箇所には、固定片が差し込み可能な差込スリットが形成され、前記絶縁シートの端部の前記固定片が差込スリットに差し込まれて前記筒体部から外側に延び、前記固定片が前記筒体部と一体に構成され、
前記固定片が前記基板収納部の前記基板支持体設置面にネジ止めされ、
前記筒体部の上面、及び下面がそれぞれ前記蓋体、及び前記基板支持体設置面に接触して圧迫されて左右両側の側面がたわむことで、
両面に回路部品が配置された前記電気回路基板を前記蓋体、及び前記基板支持体設置面から離間した位置に保持する、ことを特徴とする照明器具。
【発明の詳細な説明】
【技術分野】
【０００１】
本発明は、電気回路基板を内蔵した照明器具に関する。
【背景技術】
【０００２】
近年、ＬＥＤの実用化に伴い、光源にＬＥＤを採用した照明器具が知られている。この種の照明器具には、通常、ＬＥＤの電源回路や点灯回路等の各種の電気回路を実装した電気回路基板が内蔵されている。照明器具への電気回路基板の内蔵は、一般に、板金を加工して作成したケース体に電気回路基板を収め、当該ケース体を照明器具の中に固定することで行われている。しかしながら、板金製のケース体を用いると、電気回路基板とケース体との間に電気的な絶縁距離を大きく設ける必要があり、ケース体が大きくなると同時に内蔵させる器具本体も大型化する。そのため絶縁距離を必用最小の寸法に押さえるため、絶縁シートを基板と板金製のケース体の間に挟んで取り付けさせる方法が一般的に実施されている。また、板金製のケース体を用いる代わりに、電気回路基板を照明器具の設置面に絶縁シートを間に挟んで樹脂製のユニットケース蓋で取り付けるようにした照明器具が知られている（例えば、特許文献１参照）。
【先行技術文献】
【特許文献】
【０００３】
【特許文献１】特開２００８−２６２７１４号公報
【発明の概要】
【発明が解決しようとする課題】
【０００４】
しかしながら、板金製のケース体を用いて電気回路基板を照明器具の設置面に取り付ける場合、電気回路基板の設置面側に電気部品を実装することができないため片面実装となり、電気回路基板が大型化するため、内蔵する器具本体も大型化する、という問題があった。また、電気回路基板を小型化するためにＩＣチップやコンデンサ、抵抗などの部品を一枚の基板上にまとめて組み込みハイブリッド化することも可能ではあるが、コストアップにつながるため少量生産品には向かないという問題があった。
【０００５】
本発明は、上述した事情に鑑みてなされたものであり、小型化を実現しつつ電気的な絶縁を確実に確保し、なおかつ、簡単かつ低コストに電気回路基板を組み込むことができる照明器具を提供することを目的とする。
【課題を解決するための手段】
【０００６】
上記目的を達成するために、本発明は、開口を蓋体で閉塞する基板収納部を有し、光源点灯に係る電気回路基板を前記基板収納部に収めた器具本体と、電気的絶縁性、及び可撓性を有する絶縁シートから形成され、前記蓋体の閉蓋によって押圧されて前記蓋体と前記基板収納部の基板支持体設置面との間に撓んだ状態で保持される基板支持体と、を有し、前記絶縁シートには前記電気回路基板の両側縁の縁端を延出させるスリットが設けられており、このスリットにより前記基板支持体が前記電気回路基板の前記両側縁を支持し、両面に回路部品が配置された前記電気回路基板を前記蓋体、及び前記基板支持体設置面から離間した位置に保持する、ことを特徴とする照明器具を提供する。
上記照明器具において、前記基板支持体は、前記蓋体、及び前記基板収納部の基板支持体設置面のそれぞれと接触する面を有し、前記蓋体、及び前記基板支持体設置面によって前記面が押圧される、ことを特徴とする。
【０００７】
また本発明は、上記照明器具において、前記基板支持体は、前記絶縁シートが、前記電気回路基板を包む多角柱の筒状に、かつ、両端を合わせて重ならないように折り曲げられ、側面に前記スリットを設けて成る、ことを特徴とする。
【０００８】
また本発明は、開口を蓋体で閉塞する基板収納部を有し、光源点灯に係る電気回路基板を前記基板収納部に収めた器具本体と、電気的絶縁性、及び可撓性を有する絶縁シートから形成され、前記蓋体の閉蓋によって押圧されて前記蓋体と前記基板収納部の基板支持体設置面との間に撓んだ状態で保持される基板支持体と、を有し、前記基板支持体は、前記電気回路基板を包む筒状に前記絶縁シートを折り曲げて成る筒体部を有し、前記筒体部は略四角柱状に形成されており、前記筒体部の左右両側の側面には、それぞれスリットが形成されており、それぞれのスリットに前記電気回路基板の左右両側の側縁が挿入され、前記電気回路基板が前記筒体部の中で支持され、前記絶縁シートの筒体部の一方の側面を構成する箇所には、固定片が差し込み可能な差込スリットが形成され、前記絶縁シートの端部の前記固定片が差込スリットに差し込まれて前記筒体部から外側に延び、前記固定片が前記筒体部と一体に構成され、前記固定片が前記基板収納部の前記基板支持体設置面にネジ止めされ、前記筒体部の上面、及び下面がそれぞれ前記蓋体、及び前記基板支持体設置面に接触して圧迫されて左右両側の側面がたわむことで、両面に回路部品が配置された前記電気回路基板を前記蓋体、及び前記基板支持体設置面から離間した位置に保持する、ことを特徴とする照明器具を提供する。
【発明の効果】
【０００９】
本発明によれば、電気的絶縁性、及び可撓性を有する絶縁シートから形成され、蓋体の閉蓋によって押圧されて蓋体と基板収納部の基板支持体設置面との間に撓んだ状態で保持される基板支持体を備え、この基板支持体が電気回路基板の両側縁を支持し、前記電気回路基板を前記蓋体、及び前記基板支持体設置面の各々から離間した位置に保持する構成とした。
この構成によれば、電気回路基板が蓋体、及び基板支持体設置面の各々から離間した位置に保持されるため、電気回路基板の両面に回路部品を実装することができ、電気回路基板の大型化を防止できる。
これに加え、電気回路基板の両端側では基板収納部の間に基板支持体を構成する絶縁シートが介在することから、電気回路基板の両端側と基板収納部の間の距離を縮めることができ照明器具を小型化できる。
さらに、蓋体を閉じることで基板支持体が基板収納部に保持、固定されるため、電気回路基板の照明器具への組み込み作業が容易となる。
かかる基板支持体を絶縁シートから形成しているため、板金を用いる構成に比べ、簡単かつ低コストに基板支持体を構成できる。
【図面の簡単な説明】
【００１０】
【図１】本発明の実施形態に係る照明器具を下側から見た斜視図である。
【図２】照明器具の構成を示す図であり、（Ａ）は平面図、（Ｂ）は正面図、（Ｃ）は底面図である。
【図３】照明器具の断面図である。
【図４】器具本体から蓋体を取り外した状態の底面図である。
【図５】基板支持体の構造を模式的に示す図であり、（Ａ）は基板支持体を模式的に示す斜視図、（Ｂ）は基板支持体の展開図である。
【図６】基板支持体を器具本体の電源収納部に収めた状態を示す概略図である。
【図７】基板支持体の変形例を示す図であり、（Ａ）は筒体部が三角柱状の場合を示し、（Ｂ）は筒体部が六角柱状の場合を示し、（Ｃ）は筒体部が円筒状の場合を示す。
【図８】基板支持体の他の変形例を示す図であり、（Ａ）は基板支持体が一対の支持片を備える構成を示し、（Ｂ）は基板支持体の一対の支持片を上面で連結した構成を示す。
【発明を実施するための形態】
【００１１】
以下、図面を参照して本発明の実施形態について説明する。以下の説明では、倉庫や工場の天井面に設置される照明器具を例示するが、本発明は、この種の照明器具に限定されるものではない。
【００１２】
図１は本実施形態に係る照明器具１の設置状態を下側から見た斜視図である。図２は照明器具１の構成を示す図であり、図２（Ａ）は平面図、図２（Ｂ）は正面図、図２（Ｃ）は底面図である。また図３は照明器具１の断面図である。
照明器具１は、図１に示すように、天井面に既設の端子ボックス２に取り付けて設置される。端子ボックス２は、照明器具１の取付ベースとして供されるとともに、商用電力を照明器具１に供給するものであり、薄型筒状のボックス本体３を備え、当該ボックス本体３の外側面に複数の固定脚４を設け、当該固定脚４を天井面にボルト等で照明器具１の荷重に耐え得るように強固に固定して設置されている。
【００１３】
ボックス本体３の外周面には、商用電力の電力線を引き込むための開口５が設けられ、またボックス本体３の底面（床側の面）の略中央には、照明器具１の電力線をボックス本体３に引き込む開口（図視略）が設けられている。ボックス本体３の外周面の開口５、及び底面の開口から引き込まれた電力線がボックス本体３の中で結線され、照明器具１に商用電力が供給される。
なお、ボックス本体３の外周面には、４方向に開口５が設けられており、適宜の開口５から電力線を引き込み、また他の照明器具１への送り配線を引き出し可能に構成されており、使用しない開口５は例えばゴム材等で閉塞される。
【００１４】
照明器具１は、図１、及び図２に示すように、天井面からの高さ方向に薄い円筒型の器具本体１０を備え、天井面側が上記端子ボックス２に取り付けられ、また床側に面する底面には、透明板材としての平面視矩形のグローブ１２が器具本体１０に嵌め込み固定されている。グローブ１２と器具本体１０の間には防水用のパッキン１４（図３）が挟み込まれることで気密にされ防湿が図られている。
【００１５】
この器具本体１０には、図３に示すように、端子ボックス２に取り付けるための引っ掛け軸７０、及びラッチ機構７５が設けられている。すなわち、図１、及び図２に示すように、端子ボックス２のボックス本体３の底面には、引っ掛け軸７０を受ける軸受け５２と、ラッチ機構７５に係合するラッチ受け５３を備えた取付金具５０が設けられており、この取付金具５０に、引っ掛け軸７０を引っ掛けて、及びラッチ機構７５を係合させることで、器具本体１０が端子ボックス２に取り付けられる。
【００１６】
器具本体１０は、熱伝導性が高い金属材の一例たるアルミ合金を用いたアルミダイカストにより平面視円形に成型されている。すなわち、器具本体１０は、図１、及び図２（Ｃ）に示すように、照射開口２０を形成する円環枠部２１を備える。この円環枠部２１の裏側には、図３に示すように、略箱型の電源収納部２４が中央に形成された胴体部２３が設けられている。この胴体部２３の外側面２３Ａには、全周に亘って、高さ方向（天井面側から床側方向）に延びる多数のフィン１６が一体に形成されている。
【００１７】
図３に示すように、胴体部２３には、電源収納部２４の照射開口２０側を塞ぐように平板部３０が一体に設けられている。図１に示すように、この平板部３０の照射開口２０側の面がＬＥＤ基板載置面５６として用いられ、このＬＥＤ基板載置面５６には光源たる多数のＬＥＤ２６が実装されたＬＥＤ基板２８がネジ止め固定されている。
また電源収納部２４には、胴体部２３の底面側に開口３１が形成されており、この電源収納部２４の開口３１を塞ぐ板状の蓋体３２が胴体部２３の底面にネジ止め固定されている。
【００１８】
図４は、器具本体１０から蓋体３２を取り外した状態の底面図である。
電源収納部２４には、ＬＥＤ基板２８に電源を供給して点灯する電源回路４０（図３）が実装された電源回路基板４１が基板支持体４２に包まれて平板部３０の基板支持体設置面５７に固定されている。
電源収納部２４に面する平板部３０の面内には、図３に示すように、配線引出孔３０Ａが設けられており、この配線引出孔３０Ａを通じて、電源回路基板４１から延びる配線が電源収納部２４から引き出されてＬＥＤ基板２８に接続される。
また、蓋体３２は、図３に示すように、防水用のパッキン３６を間に挟んで電源収納部２４の開口３１を閉塞し、また蓋体３２の略中央には電力線用開口３７が設けられ、この電力線用開口３７に樹脂製のブッシュ３８が嵌め込まれている。これらパッキン３６、及びブッシュ３８により電源収納部２４の気密性が確保されている。
電力線用開口３７からは、上記端子ボックス２から延びる電力線が電源収納部２４に引き込まれて電源回路基板４１に接続される。
この電源回路基板４１は、平面視略矩形状に形成され、上記平板部３０、及び蓋体３２のそれぞれから離間し、かつそれぞれに対して略平行な状態でケース状に構成した基板支持体４２によって電源収納部２４の中に保持されている。
【００１９】
かかる基板支持体４２について以下に詳述する。
図５は基板支持体４２の構造を模式的に示す図であり、図５（Ａ）は基板支持体４２を模式的に示す斜視図、図５（Ｂ）は基板支持体４２の展開図である。
基板支持体４２は、図５（Ｂ）に示すように、電気的絶縁性、及び可撓性を有する樹脂製の帯状の絶縁シートＳから形成されており、図５（Ａ）に示すように、絶縁シートＳを折り曲げて成る略四角柱状の筒体部４３を備え、この筒体部４３の内部に、電源回路基板４１が支持されている。
電源回路基板４１の支持構造について詳述すると、筒体部４３の左右両側の側面４４には、それぞれスリット５５が形成されており、それぞれのスリット５５に電源回路基板４１の左右両側の側縁４１Ａを挿入することで、電源回路基板４１が筒体部４３の中で支持される。このとき、電源回路基板４１は、筒体部４３の上面４５、及び下面４６のそれぞれとの間に、電源回路４０（図５には図示せず）が間に収まるだけの隙間δ１、δ２をあけた位置で支持する位置に上記スリット５５が設けられている。これにより、電源回路基板４１の両面を有効に使って電源回路４０や他の回路の回路部品を配置できる。
【００２０】
絶縁シートＳは、左右両側の側面４４で電源回路基板４１を支持することから、当該電源回路基板４１を支えるのに十分な剛性を有したものが用いられている。ただし、絶縁シートＳは、１枚に限らず、複数枚の絶縁シートＳが重ねられたものを折り曲げて基板支持体４２を構成しても良い。
【００２１】
図６は、基板支持体４２を器具本体１０の電源収納部２４に収めた状態を示す概略図である。
同図に示すように、基板支持体４２の筒体部４３の高さＬａは、電源収納部２４の高さＬｂ（すなわち、電源収納部２４の基板支持体設置面５７から蓋体３２までの距離）よりも大きく形成されている。したがって、基板支持体４２を電源収納部２４の基板支持体設置面５７の上に載置し、蓋体３２で電源収納部２４の開口３１を閉塞したときには、蓋体３２によって、基板支持体４２が高さ方向に押圧される。これにより、筒体部４３の左右両側の側面４４が押し潰されて撓むこととなり、この撓みによって生じる側面４４の突っ張りによって筒体部４３が電源収納部２４内に保持、固定される。
【００２２】
したがって、電源回路基板４１を支持した基板支持体４２を電源収納部２４の中に置き、蓋体３２を閉じるだけで、電源収納部２４の中に基板支持体４２を固定することができる。このとき、電源回路基板４１は、筒体部４３の中で支持されていることから、電源収納部２４の平板部３０、蓋体３２、及び左右両側面と、電源回路基板４１との間には絶縁シートＳが介在することとなり、電源回路基板４１と電源収納部２４との間の電気的な絶縁が確実に図られる。換言すれば絶縁シートＳで電気的な絶縁が得られることから、電源回路基板４１と電源収納部２４との距離を短縮することができ、電源収納部２４の高さＬｂを抑えて薄型、及び小型な器具本体１０を構成できる。
特に、器具本体１０の厚みを薄くすることで、器具本体１０の天井面からの出幅を抑えることができるため、フォークリフト等の作業車が往来し、フォークリフトで持ち上げられた荷物が天井面の器具に接触し易い倉庫の照明にも照明器具１を好適に用いることができる。
【００２３】
また、基板支持体設置面５７から電源回路基板４１までの高さＨ（図３）を絶縁シートＳのスリット５５の加工位置（Ｌａに対してのδ１、δ２との比）を変えることで任意に設定できるため、例えばＬＥＤ基板載置面５６の裏面となる基板支持体設置面５７から電源回路基板４１までの距離Ｈを多く離し、相互間の熱の影響を少なくすることも可能である。これに加え、また器具本体１０の電源収納部２４が幅方向（水平方向）に余裕がある場合、電源回路基板４１に片面実装基板を用いてより高さを抑える構成とすることも可能となる。
【００２４】
ここで、器具本体１０に対して左右方向（水平方向）への揺れや振動が加わると、筒体部４３が電源収納部２４内でスライド移動してしまうことがある。このようなスライド移動が生じると、スライド移動時の基板支持体４２と電源収納部２４との間の摩擦や、電源回路基板４１から延びる配線の引っ張り等により、筒体部４３の折り曲げが解けて絶縁シートＳが帯状に拡がってしまい、電源回路基板４１と電源収納部２４との間の電気的な絶縁が維持されなくなる虞がある。
そこで本実施形態では、図５、及び図６に示すように、基板支持体４２の筒体部４３を電源収納部２４の基板支持体設置面５７にネジ止め固定するための固定片４７を筒体部４３に設けることで、器具本体１０に衝撃が加わった場合でも、電源収納部２４内での基板支持体４２の移動を防止することとしている。
【００２５】
この固定片４７は、次のようにして筒体部４３に一体に設けられている。すなわち、筒体部４３は、上述の通り、帯状の絶縁シートＳを筒状に折り曲げて構成されるが、この絶縁シートＳの一端部には、図５（Ｂ）に示すように、固定片４７が予め形成されており、更に、絶縁シートＳの筒体部４３の一方の側面４４を構成する箇所には、固定片４７が差し込み可能な差込スリット４８が予め形成されている。そして、かかる絶縁シートＳを折り曲げて筒体部４３を構成する際に、端部の固定片４７を差込スリット４８に差し込んで筒体部４３から外側に延ばすことで、固定片４７が筒体部４３と一体に構成される。
かかる構成においては、筒状に巻いた絶縁シートＳの端部を延ばして成る固定片４７が電源収納部２４の基板支持体設置面５７にネジ止めされているため、器具本体１０に衝撃が加わったとしても、固定片４７に引っ張られて筒状の筒体部４３が絞られるか、或いは、筒体部４３の側面４４が固定片４７側に移動して固定片４７で係止されるかのいずれかであるから、筒体部４３が解かれて帯状に拡がる（展開される）ことがなく、電源回路基板４１を筒体部４３の中に確実に収めておくことができる。
【００２６】
なお、本実施形態の基板支持体４２にあっては、図５、及び図６では図示を省略したが、図４に示すように、筒体部４３の両端にも、当該筒体部４３の両端の開口を覆う覆い片４９Ａ、４９Ｂが筒体部４３と一体に設けられており、これにより、電源回路基板４１を収める箱型のケース状に構成されている。したがって、筒体部４３の軸方向においては、これらの覆い片４９Ａ、４９Ｂにより、電源回路基板４１と電源収納部２４との間の電気的な絶縁が図られることから、これら電源回路基板４１と電源収納部２４との間の距離を短縮して器具本体１０の小型化を図ることができる。
【００２７】
以上説明したように、本実施形態によれば、蓋体３２の閉蓋によって押圧されて蓋体３２と電源収納部２４の基板支持体設置面５７との間に撓んだ状態で保持される基板支持体４２を、電気的絶縁性、及び可撓性を有する絶縁シートＳから形成し、この基板支持体４２が電源回路基板４１の両側縁４１Ａを支持し、電源回路基板４１を蓋体３２、及び基板支持体設置面５７から離間した位置に保持する構成した。
この構成により、電源回路基板４１が蓋体３２、及び基板支持体設置面５７の各々から離間した位置に保持されるため、電源回路基板４１の両面を有効に使って回路部品を実装することができ、電源回路基板４１の大型化を防止できる。
これに加え、電源回路基板４１の両側の側縁４１Ａには、電源収納部２４の間に基板支持体４２を構成する絶縁シートＳが介在することから、電源回路基板４１の両側の側縁４１Ａと電源収納部２４の間の距離を縮めることができ器具本体１０を小型化できる。
さらに、蓋体３２を閉じることで基板支持体４２が電源収納部２４に保持、固定されるため、電源回路基板４１の器具本体１０への組み込み作業が容易となる。
また基板支持体４２を絶縁シートＳから形成しているため、板金を用いる構成に比べ、簡単かつ低コストに基板支持体４２を構成できる。
【００２８】
また本実施形態によれば、電源回路基板４１を包む四角柱状に絶縁シートＳを折り曲げて成る筒体部４３の側面４４に、電源回路基板４１の側縁４１Ａが挿入されて支持するスリット５５を設けて基板支持体４２を構成した。
これにより、１或いは複数枚を積層した絶縁シートＳを折り曲げるだけで、簡単に基板支持体４２を作成することができる。
これに加え、基板支持体設置面５７から電源回路基板４１までの高さＨを絶縁シートＳのスリット５５の加工位置を変えることで任意に設定できるため、例えばＬＥＤ基板載置面５６の裏面となる基板支持体設置面５７から電源回路基板４１までの距離Ｈを多く離し、相互間の熱の影響を少なくすることも可能である。
【００２９】
また本実施形態によれば、絶縁シートＳの一端部を筒体部４３から延出させて、筒体部４３を平板部３０に固定する固定片４７を設ける構成とした。
この構成により、器具本体１０に衝撃が加わった場合でも、電源収納部２４内での基板支持体４２の移動を防止することができる。また、器具本体１０に衝撃が加わったとしても、固定片４７に引っ張られて筒状の筒体部４３が絞られるか、或いは、筒体部４３の側面４４が固定片４７側に移動して固定片４７で係止されるかのいずれかであるから、筒体部４３が解かれて帯状に拡がる（展開される）ことがなく、電源回路基板４１を筒体部４３の中に確実に収めておくことができる。
【００３０】
なお、上述した実施形態は、あくまでも本発明の一態様を示すものであって、本発明の趣旨を逸脱しない範囲で任意に変形及び応用が可能である。
【００３１】
例えば、上述した実施形態では、基板支持体４２の筒体部４３の形状が四角柱状である場合を説明したが、筒体部４３の断面形状は四角形に限らない。すなわち、図７（Ａ）に示すように、三角柱状の筒体部１４３を備えた基板支持体１４２としても良く、また図７（Ｂ）に示すように、六角柱状の筒体部２４３を備えた基板支持体２４２としても良い。すなわち、筒体部４３としては任意の多角柱状を用いることができる。
さらに、多角柱に限らず、図７（Ｃ）に示すように、円筒状の筒体部３４３を備えた基板支持体３４２としても良い。円筒状の筒体部３４３は、絶縁シートＳで電源回路基板４１の周囲を一巻きするだけで構成できるため、基板支持体３４２を、より簡単に構成することができる。
【００３２】
また、上述した実施形態では、基板支持体４２として、電源回路基板４１を包囲する筒体部４３を備える構成を例示したが、これに限らない。
例えば、図８（Ａ）に示すように、電源回路基板４１の両側縁４１Ａが挿入されるスリット５５が形成されるとともに、蓋体３２の閉蓋によって押圧されて蓋体３２と電源収納部２４の基板支持体設置面５７との間に撓んだ状態で保持される一対の支持片４４４を備えて基板支持体４４２を構成しても良い。この構成において、支持片４４４の上下の端部のそれぞれが外側に向けて折り曲げられることで、蓋体３２、及び平板部３０に接触して押圧力を受ける接触片４４４Ａが設けられており、各接触片４４４Ａが蓋体３２、及び平板部３０に密着することで、基板支持体４４２が電源収納部２４に保持、固定される。また図８（Ｂ）に示すように、一対の支持片５４４を矩形の上面５４５で連結し、当該上面５４５が蓋体３２の閉蓋時に押圧される構成としても良い。
【００３３】
上述した実施形態では、基板支持体４２が電源回路基板４１を支持する場合を例示したが、電源回路に限らず、点灯回路や制御回路、或いは、これらの回路が混在した各種の電気回路が実装された電気回路基板の支持に用いることができる。
【符号の説明】
【００３４】
１  照明器具
１０  器具本体
２４  電源収納部
２６  ＬＥＤ（光源）
２８  ＬＥＤ基板
３０  平板部
３１  開口
３２  蓋体
４０  電源回路（電気回路）
４１  電源回路基板（電気回路基板）
４１Ａ  側縁
４２、１４２、２４２、３４２、４４２、５４２  基板支持体
４３、１４３、２４３、３４３  筒体部
４４  側面
４７  固定片
４８  差込スリット
４９Ａ、４９Ｂ  覆い片
５５  スリット
５７  基板支持体設置面
４４４、５４４  支持片
４４４Ａ  接触片
５４４  支持片
Ｌａ、Ｌｂ  高さ
Ｓ  絶縁シート
δ１、δ２  隙間
【図１】
0005834604.tif 000002
【図２】
0005834604.tif 000003
【図３】
0005834604.tif 000004
【図４】
0005834604.tif 000005
【図５】
0005834604.tif 000006
【図６】
0005834604.tif 000007
【図７】
0005834604.tif 000008
【図８】
0005834604.tif 000009